(57)【要約】【課題】改良されたスネア組立体を有する音楽用ドラムを提供すること。【解決手段】音楽用ドラムは、円周状の受け縁により画定された少なくとも１つの開口を有する中空の胴部と、打面ヘッドからなる上面、および底面を含むドラムヘッドと、対向端部を有する複数の個別の線、少なくとも一方の端部に固定された装着部材、および、スネア組立体を円周状の受け縁へ取り外し可能に取り付けるための手段を備えるスネア組立体とを有する。円周状の受け縁へ取り外し可能に取り付けるための手段は、円周状の受け縁と圧接関係で係合する可撓性Ｕ字形留め具を備える。個別のスネア線は、打面ヘッドの打撃時に線を振動させるように、ドラムヘッドの底面に対し当接して配置される。【選択図】図１
2017090884.tif 000002
【特許請求の範囲】
【請求項１】
円周状の受け縁により画定された少なくとも１つの開口を有する中空の胴部と、
打面ヘッドを備える上面、および底面を有し、前記開口を覆うドラムヘッドと、
対向端部を有する複数の個別の線、少なくとも一方の前記端部に固定された第１の装着部材、および、前記円周状の受け縁へ取り外し可能に取り付けるための手段を有するスネア組立体と
を備え、前記打面ヘッドの打撃時に前記個別の線を振動させるように、前記個別の線が、前記ドラムヘッドの前記底面に対し当接して配置される、音楽用ドラム。
【請求項２】
前記円周状の受け縁へ取り外し可能に取り付けるための前記手段が、前記円周状の受け縁と圧接関係で係合するように適合された可撓性Ｕ字形留め具を備える、請求項１に記載の音楽用ドラム。
【請求項３】
前記第１の装着部材が、外側に面して優角をなして弾性的に曲げられる、請求項１に記載の音楽用ドラム。
【請求項４】
前記第１の装着部材、および、前記円周状の受け縁へ取り外し可能に取り付けるための前記手段が、一体的に形成される、請求項１に記載の音楽用ドラム。
【請求項５】
前記個別の線が、ねじ、または、びょうにより、前記第１の装着部材に取り付けられる、請求項１に記載の音楽用ドラム。
【請求項６】
前記個別の線が、前記第１の装着部材に溶接される、請求項１に記載の音楽用ドラム。
【請求項７】
前記個別の線が、金属合金から構成される、請求項１に記載の音楽用ドラム。
【請求項８】
前記個別の線が、合成重合体材料から構成される、請求項１に記載の音楽用ドラム。
【請求項９】
前記個別の線が、広げられた扇状である、請求項１に記載の音楽用ドラム。
【請求項１０】
円周状の受け縁により画定された少なくとも１つの開口を有する中空の胴部と、
打面ヘッドを備える上面、および底面を有し、前記開口を覆うドラムヘッドと、
第１および第２の対向端部を有する複数の個別の線、第１の装着部材および第２の装着部材であって、前記第１の装着部材が前記第１の端部に固定され、前記第２の装着部材が前記第２の端部に固定される、第１の装着部材および第２の装着部材、ならびに、前記円周状の受け縁へ取り外し可能に取り付けるための手段を有するスネア組立体と
を備え、前記打面ヘッドの打撃時に前記個別の線を振動させるように、前記個別の線が、前記ドラムヘッドの前記底面に対し当接して配置される、音楽用ドラム。
【請求項１１】
前記円周状の受け縁へ取り外し可能に取り付けるための前記手段が、前記第１の装着部材と一体的に形成され、前記円周状の受け縁と圧接関係で係合するように適合された第１の可撓性Ｕ字形留め具と、前記第２の装着部材と一体的に形成され、前記円周状の受け縁と圧接関係で係合するように適合された第２の可撓性Ｕ字形留め具とを備える、請求項１０に記載の音楽用ドラム。
【請求項１２】
もう一方の前記端部に固定される第２の装着部材を備え、前記第１の装着部材および前記第２の装着部材が、湾曲した端部の保持部をそれぞれ有し、前記円周状の受け縁へ取り外し可能に取り付けるための前記手段が、前記円周状の受け縁上に着座係合するための溝付縁部と、前記溝付縁部と一体的に形成された環状支持部材とを有する受け皿状部材を含み、前記環状支持部材が、対向面と、前記第１の装着部材および前記第２の装着部材を固定的に留めるための、前記対向面内に形成された手段とを有する、請求項１に記載の音楽用ドラム。
【請求項１３】
前記第１の装着部材および前記第２の装着部材を固定的に留めるための、前記対向面内に形成された前記手段が、前記第１の装着部材および前記第２の装着部材の、対応する前記湾曲した端部の保持部を嵌合して受け入れるように適合された、離間して対向する長孔状の開口部を備える、請求項１２に記載の音楽用ドラム。
【請求項１４】
前記円周状の受け縁へ取り外し可能に取り付けるための前記手段が、前記円周状の受け縁上に着座係合するための溝付縁部と、前記溝付縁部と一体的に形成された環状支持部材とを有する受け皿状部材を含み、前記環状支持部材が、前記第１の装着部材を、嵌合関係で固定的に留めるための手段を有する、請求項１に記載の音楽用ドラム。
【請求項１５】
前記第１の装着部材を固定的に留めるための前記手段が、前記環状支持部材内に形成され、前記第１の装着部材を嵌合して受け入れるように適合された長孔状の開口部を備える、請求項１４に記載の音楽用ドラム。
【請求項１６】
前記可撓性Ｕ字形留め具が、金属合金、または合成重合体材料から構成される、請求項２に記載の音楽用ドラム。
【請求項１７】
前記受け皿状部材が、合成重合体材料、または金属合金から構成される、請求項１２に記載の音楽用ドラム。
【発明の詳細な説明】
【技術分野】
【０００１】
本発明は、全体として、楽器の分野に関する。より詳細には、本発明は、音楽用ドラムで使用するための、改良された後付けスネア組立体を対象とする。
【背景技術】
【０００２】
スネアドラム、詳細には、象徴的な特徴である「バズ」音を発生させる、それらのスネア構成部品は、従来技術において長い年月にわたり存在してきた。真ちゅう、青銅、鋼、弦、または合成物などの様々なスネアの材料が、異なる「バズ」の特色を生み出すために使用され得る。スネア音は、カクテルドラムで使用される場合などは、頂部ヘッドから単独で、または、スコットランドのパイプ楽隊のドラムで使用される場合などは、底部ヘッドと関連して発出することができる。
【０００３】
１９４０年代初頭、ダンスバンドで使用するためにカクテルドラムが作製され、単一のドラムが、バス音とスネア音の両方を発生させるために使用されていた。底部ヘッドは、バスの音色を生成するために使用され、頂部ヘッドは、スネア構成部品を用いてスネア音を生成した。内部に装着されるスネアの「ファン」がこの楽器用に生み出され、その結果、両面ドラム（ｔｗｏ−ｈｅａｄｅｄ  ｄｒｕｍ）で通常作られる音を、頂部ヘッドが生成することができるようになった。加えて、大掛かりで複雑なスネア関連のハードウェアを生産しなくてはならないコストを削減するために、多くのエントリーレベルのスネアドラムには、内部に装着されるスネア線ユニットが組み込まれた。
【０００４】
スネア音をもたらす初期の種類の片面ドラム（ｆｒａｍｅ  ｄｒｕｍｓ）の１つは、１本の弦または線を使用したタンブール（Ｔａｍｂｕｒ）であった。タロールドラム（Ｔａｒｏｌ  ｄｒｕｍ）と呼ばれる別の種類のドラムは、ドラムヘッドの打面ヘッド側に載せられる複数本の線を使用する。アフリカのジャンベ（ｄｊｅｍｂｅ）などの、手で演奏される（ドラムスティックまたはマレットを使用しない）ドラムも、外付けスネアを組み込む。これらの種類のドラムは、外部に装着される「アドオン」スネアを利用する。
【０００５】
内付けおよび外付け「アドオン」スネア、またはスネア組立体は、多くの生産者により製造されてきており、これからも継続して製造される。それぞれの種類は、留め金具によりドラム胴部（ｄｒｕｍｓｈｅｌｌ）の内側に装着されるか、あるいは、留め金具、または締付け具およびカムレバーを使用することによりドラム胴部の外側に装着される。
【０００６】
「アドオン」、または後付けスネアユニットは、胴部の内側または外側のいずれかに設置され、そこで、スネアユニットは、ドラムヘッドと直接接触させられる。内付けユニットは、ドラム胴部の側壁に固定され、一般的には、演奏者がドラムヘッドに対する線の圧力を調整することを可能にする、ねじ式握り（ｔｈｒｅａｄｅｄ  ｋｎｏｂ）を採用する。外付けスネアユニットは、典型的には、締め枠（ｃｏｕｎｔｅｒｈｏｏｐ）、テンションロッド、または、いくつかの他のハードウェア構成部品の一部の領域に固定される。スネアユニットは、適する連結手段が採用された、ドラム胴部の外壁へ直接取り付けられることも可能である。
【０００７】
スネア線を留めるための選択肢、スネア線に張力をかけるための選択肢、および、ドラムヘッドに対しスネアを上下させるための選択肢が多く存在する。各ストランドを引張するための個別の調節ねじは、マーチング用スネアドラムでは一般的であるが、オーケストラ用スネアドラムで使用される場合もある。線の張力を調節することにより、演奏者は、演奏者の音楽的な要求にかなう音を形作ることができる。通常、ドラム胴部の対向端部に取り付けられるスネア線は、保持、引張、ユニット調整用に２倍のハードウェアを必要とするため、ドラムのコストをほぼ確実に増加させる。また、そのようなドラムは、運ぶ、または、それを持って行進するにはあまりにも重すぎる。
【０００８】
本発明は、その好ましい実施形態、および代替的な実施形態において、従来技術における、これまで知られていない、または、利用されていない重要な改良を含む。したがって、従来技術のスネア装置とは異なり、本発明の改良されたスネア組立体は、すべての種類のドラムに容易に設置され、構成および機能が複雑でなく、比較的軽量で、製造するにあたりコスト効果に優れる。
【発明の概要】
【課題を解決するための手段】
【０００９】
好ましい実施形態において、本発明は、円周状の受け縁（ｃｉｒｃｕｍｆｅｒｅｎｔｉａｌ  ｂｅａｒｉｎｇ  ｅｄｇｅ）により画定された少なくとも１つの開口を有する中空の胴部と、打面ヘッドからなる上面、および底面を含むドラムヘッドと、対向端部を有する複数の個別の線、少なくとも一方の端部に固定された装着部材、および、スネア組立体を円周状の受け縁へ取り外し可能に取り付けるための手段を備えるスネア組立体とを有する、音楽用ドラムを構成する。個別のスネア線は、打面ヘッドの打撃時に線を振動させるように、ドラムヘッドの底面に対し当接して配置される。本発明の好ましい実施形態において、円周状の受け縁へ取り外し可能に取り付けるための手段は、円周状の受け縁と圧接関係で係合する可撓性Ｕ字形留め具を構成する。
【００１０】
したがって、本発明の目的は、音楽用ドラム胴部の円周状の受け縁上へ容易に設置され得るスネア組立体を有する、音楽用ドラムを提供することである。
本発明の別の目的は、受け縁と圧接係合する可撓性Ｕ字形留め具を利用し、ドラム胴部の円周状の受け縁上へ装着されるスネア組立体を有する、音楽用ドラムを提供することである。
【００１１】
本発明の別の目的は、打面ヘッドが打撃されたときにスネア音を生成するため、適切に張力がかけられたスネア線が、ドラムヘッドの裏面に当たる（ｂｅａｒ）ように方向づけられる、スネア組立体を有する、音楽用ドラムを提供することである。
【００１２】
本発明のさらに別の目的は、円周状の受け縁上への装着のための、かつ、スネア線がドラムヘッドの裏面に対して当たることを支持するための、溝付縁部を有する受け皿状部材を組み込んだスネア組立体を有する、音楽用ドラムを提供することである。
【００１３】
本発明の別の目的は、比較的軽量のスネア組立体を有する音楽用ドラムを提供することである。
本発明のさらに別の目的は、構成および機能が複雑でないスネア組立体を有する音楽用ドラムを提供することである。
【００１４】
本発明のさらに別の目的は、設置が容易なスネア組立体を有する音楽用ドラムを提供することである。
本発明のさらに別の目的は、製造するにあたりコスト効果に優れるスネア組立体を有する音楽用ドラムを提供することである。
【００１５】
すべての実施形態における本発明の他の目的および有利性は、本発明の好ましい実施形態、および代替的な実施形態がさらに例示される添付の図面と照らし合わされ熟考されると、以下の明細書にて明らかになるであろう。
【図面の簡単な説明】
【００１６】
【図１】図１は、本発明による好ましい実施形態の斜視図である。図１Ａは、スネア線が大きく広げられた扇状に構成された、本発明による好ましい実施形態の斜視図である。
【図２】音楽用ドラム胴部に後付けされて示された、図１のスネア組立体の斜視図である。
【図３】様々な音楽用ドラム構成部品およびハードウェアとともに示された、本発明の好ましい実施形態によるスネア組立体の展開図である。
【図４】組み立てられた音楽用ドラムの胴部の内側に後付けされて示された、本発明の好ましい実施形態によるスネア組立体の破断斜視図である。
【図５】本発明によるスネア組立体の断面図である。
【図５Ａ】ドラムスティックが打面ヘッドを打撃し、それに応じてスネア線が振動した状態で示された、本発明の好ましい実施形態によるスネア組立体の断面図である。
【図６】本発明の代替え的な実施形態に従って示されたスネア組立体の斜視図である。
【図７】本発明の代替え的な実施形態による、ドラム胴部上に後付けされて示されたスネア組立体の斜視図である。
【図８】本発明の代替え的な実施形態によるスネア組立体の断面図である。
【図９】本発明の代替え的な実施形態に従って示されたスネア組立体の上面斜視図である。
【図９Ａ】本発明の代替え的な実施形態によるスネア組立体の展開図である。
【図１０】本発明の代替え的な実施形態に従って示されたスネア組立体の底面斜視図である。
【図１１】様々な音楽用ドラム構成部品およびハードウェアとともに示された、本発明の代替的な実施形態によるスネア組立体の展開図である。
【図１２】本発明の代替え的な実施形態によるスネア組立体の断面図である。
【図１３】本発明の代替え的な実施形態に従って示されたスネア組立体の斜視図である。
【図１４】本発明の代替え的な実施形態に従って示されたスネア組立体の底面斜視図である。
【図１５】様々な音楽用ドラム構成部品およびハードウェアとともに示された、本発明の代替的な実施形態によるスネア組立体の展開図である。
【図１６】本発明の代替え的な実施形態によるスネア組立体の断面図である。
【発明を実施するための形態】
【００１７】
本発明は、円周状の受け縁１６により画定された少なくとも１つの開口１４を有する中空の胴部１２を備える、音楽用ドラム１０を提供する。開口１４は、打面ヘッド１８ａを備える上面１８と、底面２０とを有するドラムヘッド１７により覆われる。対向する端部３４および３６を備える複数の個別のスネア線３２を有する、スネア組立体３０も提供される。第１の装着部材３８が端部３４に固定され、これは、円周状の受け縁１６と圧接関係で係合するように適合された可撓性Ｕ字形留め具４０を含む。亜鉛めっきされた、または、されていない、合成重合体、または金属合金などの任意の適する可撓性材料から構成され得るＵ字形留め具４０は、装着部材３８が、円周状の受け縁１６に弾性的に、かつ、取り外し可能に取り付けられることを可能にする。装着部材３８は、ドラムヘッド１７の底面２０に当接するのに適切な角度で、個別のスネア線３２を方向づけるようにも適合される。これにより、演奏者の手、またはドラムスティック４６などの何らかの硬い物体による打面ヘッド１８ａの打撃時に、個別のスネア線３２が振動する。スネア線３２は、例えば、図１に示されるように、あるいはまた、図１Ａに示されるように大きく広げられた扇状などに構成され得る。
【００１８】
典型的には、特徴的なスネア音の生成を可能にするために、ドラムヘッド１７の底面２０に対しスネア線３２を適切に方向づけるというその目的を最大限に達成するため、装着部材３８は、外側に面して優角をなして弾性的に曲げられる。任意の適する金属合金、または合成材料から構成され得るスネア線３２は、びょう５０の使用、あるいは、ねじ、または溶接（図示せず）を含む、任意の適切な手段により、装着部材３８に取り付けられる。
【００１９】
本発明の代替的な実施形態は、装着部材３３と、装着部材３５とを備え、各部材は、スネア線３２の対応する対向する端部３７および３９に固定される。装着部材３３と一体的に形成された可撓性Ｕ字形留め具４３は、円周状の受け縁１６と圧接関係で係合するように適合される。装着部材３５と一体的に形成された可撓性Ｕ字形留め具４５は、円周状の受け縁１６と圧接関係で係合するように同様に適合される。
【００２０】
本発明の別の代替的な実施形態は、装着部材３８と、装着部材４１とを備え、各部材は、スネア線３２の対応する対向する端部６０および６２に固定される。端部６０は、概して湾曲または屈曲した端部の保持部６１を含み、端部６２は、概して湾曲または屈曲した端部の保持部６３を含む。受け皿状部材６４も提供され、これは、円周状の受け縁１６上に着座係合（ｓｅａｔｉｎｇ  ｅｎｇａｇｅｍｅｎｔ）するように適合された溝付縁部６５と、溝付縁部６５と一体的に形成された環状支持部材６６とを含む。環状支持部材６６は、対向面６８および６９を含み、その中に、対応する湾曲または屈曲した端部の保持部６１および６３を嵌合関係で受け入れるように、長孔状の開口部７０および７２が形成される。受け皿状部材６４は、限定するものではないが、合成重合体、または金属合金を含む、任意の適する材料から構成され得る。
【００２１】
したがって、装着部材３８および４１に固定的に取り付けられたスネア線３２を備えるスネアユニット７４は、受け皿状部材６４に留められ、そして、円周状の受け縁１６上に確実に着座される。本発明の好ましい実施形態の場合と同じく、打面ヘッド１８ａの打撃時に、特徴的なスネア音の生成を可能にするために、スネア線３２は、底面２０に対し当接するように方向づけられる。
【００２２】
本発明の別の代替的な実施形態は、図９に示されるように、端部６０などの単一の端部のみに固定された装着部材３８などの、単一の装着部材を備える。装着部材３８は、概して湾曲または屈曲した端部の保持部６１を含む。受け皿状部材６４も提供され、これは、円周状の受け縁１６上に着座係合するように適合された溝付縁部６５と、溝付縁部６５と一体的に形成された環状支持部材６６とを含む。環状支持部材６６は、湾曲または屈曲した端部の保持部６１を嵌合関係で受け入れるように形成された長孔状の開口部７０を含む。
【００２３】
典型的な音楽用ドラム１０の組立てを完成するために、ドラムヘッド１７に嵌合する締め枠８０、ならびに、ドラムヘッド１７に張力をかけるためのテンションロッド８４およびチューニングラグ８６を含む、適切なハードウェアが提供される。
【００２４】
本発明に従って使用される音楽用ドラム１０は、典型的には、従来型の構造および外観であるが、非常に低コストで代替物を得ることが可能である。一例は、ホームセンター（ｈｏｍｅ  ｉｍｐｒｏｖｅｍｅｎｔ  ｃｅｎｔｅｒｓ）、および、近隣の金物店で日常的に販売されているプラスチック製および金属製ペール缶である。
【００２５】
本発明は、特定の好ましい実施形態と関連し説明されるが、それは、本発明をその実施形態に限定する意図を持たないということを理解されたい。むしろ、それは、添付の特許請求の範囲により定められる、本発明の精神および範囲内に含まれ得るすべての代替物、変更物、および均等物を包括する意図を持つ。
【符号の説明】
【００２６】
１０  音楽用ドラム
１２  胴部
１４  開口
１６  円周状の受け縁
１７  ドラムヘッド
１８  上面
１８ａ  打面ヘッド
２０  底面
３０  スネア組立体
３２  スネア線
３３  装着部材
３４  端部
３５  装着部材
３６  端部
３７  端部
３８  装着部材
３９  端部
４０  可撓性Ｕ字形留め具
４１  装着部材
４３  可撓性Ｕ字形留め具
４５  可撓性Ｕ字形留め具
４６  ドラムスティック
５０  びょう
６０  端部
６１  湾曲または屈曲した端部の保持部
６２  端部
６３  湾曲または屈曲した端部の保持部
６４  受け皿状部材
６５  溝付縁部
６６  環状支持部材
６８  対向面
６９  対向面
７０  長孔状の開口部
７２  長孔状の開口部
７４  スネアユニット
８０  締め枠
８４  テンションロッド
８６  チューニングラグ
【図１】
2017090884.tif 000003
【図２】
2017090884.tif 000004
【図３】
2017090884.tif 000005
【図４】
2017090884.tif 000006
【図５】
2017090884.tif 000007
【図５Ａ】
2017090884.tif 000008
【図６】
2017090884.tif 000009
【図７】
2017090884.tif 000010
【図８】
2017090884.tif 000011
【図９】
2017090884.tif 000012
【図９Ａ】
2017090884.tif 000013
【図１０】
2017090884.tif 000014
【図１１】
2017090884.tif 000015
【図１２】
2017090884.tif 000016
【図１３】
2017090884.tif 000017
【図１４】
2017090884.tif 000018
【図１５】
2017090884.tif 000019
【図１６】
2017090884.tif 000020
【外国語明細書】
2017090884000001.pdf